(57)【特許請求の範囲】
【請求項１】
画像形成動作を制御する制御部を備えてその制御部に働きかける操作部を外部操作可能に有する画像形成装置において、
前記操作部の外ケースを一体成形でつくり、
その外ケースの下側内面にスピーカをスライドして下向きに取り付けるスピーカ取付台と、そのスピーカ取付台上に取り付けるスピーカの挿入方向前方を位置決めする前位置決めリブと、挿入するスピーカの左右上を位置決めする上位置決めリブと、挿入するスピーカを取付位置へと案内するとともに、取付後のスピーカの下位置を位置決めするガイドリブと、スピーカを取付位置へと案内して後、手を離したとき、取付後のスピーカの後位置を位置決めする後位置決めリブとを設けてなる、スピーカ取付構造。
【請求項２】
請求項１に記載のスピーカ取付構造を備えてなる、画像形成装置。
【発明の詳細な説明】
【０００１】
【発明の属する技術分野】
この発明は、複写機・プリンタ・ファクシミリ、またはそれらの複合機などの画像形成装置に適用することができる。および、そのような画像形成装置において、例えば報知音などを発するスピーカの取付構造に関する。
【０００２】
【従来の技術】
従来、スピーカ取付構造の中には、例えば特開平８−１１６５８２号公報に記載されるように、スピーカの音放出側を支持部材に当接し、弾発部によってその当接面に押し付け、スピーカを支持部材に取り付けるものがある。
【０００３】
このような構造では、ねじやブラケットなどを必要とせず、工具を用いないから、スピーカの取り付け取り外しの作業性がよく、また弾発部でスピーカの振動を吸収していわゆる音のビリツキを抑制することができる利点がある。
【０００４】
複写機等の画像形成装置にも、報知音を鳴らすスピーカを取り付けたものもある。しかし、従来は、そのようなスピーカを画像形成装置本体の下面とか裏側とかに取り付けていた。
【０００５】
【発明が解決しようとする課題】
このため、従来の画像形成装置では、スピーカの音が聞こえにくいという問題があった。
【０００６】
そこで、この発明の第１の課題は、画像形成装置におけるスピーカ取付構造を改良し、スピーカの音を聞き取りやすくすることにある。
【０００７】
この発明の第２の課題は、そのようなスピーカ取付構造において、さらにスピーカの取り付けを簡単とすることにある。
【０００８】
この発明の第３の課題は、また、スピーカの取り付け操作にスペースを必要とせず、同じくスピーカの取り付けを簡単とすることにある。
【０００９】
この発明の第４の課題は、上記課題を解決したスピーカ取付構造を備えた画像形成装置を提供することにある。
【００１０】
【課題を解決するための手段】
そのため、請求項１に記載の発明は、上記第１ないし３の課題を解決すべく、画像形成動作を制御する制御部を備えてその制御部に働きかける操作部を外部操作可能に有する画像形成装置において、
前記操作部の外ケースを一体成形でつくり、
その外ケースの下側内面にスピーカをスライドして下向きに取り付けるスピーカ取付台と、そのスピーカ取付台上に取り付けるスピーカの挿入方向前方を位置決めする前位置決めリブと、挿入するスピーカの左右上を位置決めする上位置決めリブと、挿入するスピーカを取付位置へと案内するとともに、取付後のスピーカの下位置を位置決めするガイドリブと、スピーカを取付位置へと案内して後、手を離したとき、取付後のスピーカの後位置を位置決めする後位置決めリブとを設けてなる、ことを特徴とする。
【００１５】
請求項２に記載の発明は、上記第４の課題を解決すべく、画像形成装置において、請求項１に記載のスピーカ取付構造を備えてなる、ことを特徴とする。
【００１６】
【発明の実施の形態】
以下、図面を参照しつつ、この発明の実施の形態につき説明する。
図１には、この発明に係る画像形成装置の一例である複写機の外観斜視図を示す。
【００１７】
図中符号１０は、複写機装置本体である。装置本体１０は、給紙装置１１上に載置する。その装置本体１０の上部には、排紙スタック部１２を挟んでスキャナ装置１３を取り付ける。スキャナ装置１３の上面には、コンタクトガラス１４を備える。また、スキャナ装置１３の正面側には、操作部１５を外部操作可能に有する。
【００１８】
装置本体１０内には、図示省略するが、画像形成動作を制御する制御部を備える。操作部１５には、その制御部に働きかける各種のボタンを外部操作可能に設ける。
【００１９】
例えばコピーを取るときなどに押すスタートボタン１６、コピー枚数を設定するときなどに押す１０キー１７、さらにコピーモード・ファクシミリモード・プリンタモードの別を選択するモード選択ボタンや、濃度・シートサイズ・倍率等を設定する設定ボタンなどのその他のボタン１８を設ける。図中符号１９は、操作部１５に設ける表示部である。
【００２０】
そして、例えば所望の原稿をコピーするときは、コンタクトガラス１４上に原稿をセットして表示部１９を見ながら操作部１５の各種のボタンを押して後、最後にスタートボタン１６を押す。すると、原稿内容をスキャナ装置１３で読み取るとともに、給紙装置１１からシートを繰り出して装置本体１０内に入れる。そうして、スキャナ装置１３による読み取り内容に応じて装置本体１０内でシートに画像を形成して後、排紙スタック部１２上に排出スタックする。
【００２１】
ところで、図示例では、操作部１５の外ケース２０を、樹脂材料を用いて一体成形でつくる。そして、図２および図３に示すように、その外ケース２０の下側に凹み２１を設け、内側にスピーカ取付台２２を形成する。
【００２２】
このスピーカ取付台２２は、図４に示すように、正面側を円形に、背面側を方形につくり、真ん中に、音放出孔２３を複数あける。
【００２３】
スピーカ取付台２２上には、外ケース２０の成形時に、音放出孔２３を挟んで対向して、正面側と背面側には前後位置決めリブ２４・２５を、左右には一対の上位置決めリブ２６・２６を一体に設ける。一対の上位置決めリブ２６・２６は、フック状とし、各々内向きに形成する。また、音放出孔２３と後位置決めリブ２５とを挟んで、左右に一対のガイドリブ２７・２７を真っ直ぐにレール状に設ける。ガイドリブ２７・２７は、下位置決めリブを兼ねている。
【００２４】
そして、このスピーカ取付台２２上にスピーカを取り付けるときには、図５に示すように、例えば円形のスピーカ３０を下向きにして外ケース２０内に装置本体１０の背面側から矢示方向に挿入し、後位置決めリブ２５を乗り越えて一対のガイドリブ２７・２７上に載せ、一対のガイドリブ２７・２７で案内してスライドするように一対の上位置決めリブ２６・２６下に入れ、前位置決めリブ２４に突き当てたところで手を離す。
【００２５】
すると、スピーカ３０の前後を前後位置決めリブ２４・２５で挟み込むとともに、上下を一対のガイドリブ２７・２７と一対の上位置決めリブ２６・２６とで挟み込み、リブで位置決めして操作部１５内部のスピーカ取付台２２上にスピーカ３０を下向きに取り付けることができる。。
【００２６】
これにより、装置本体１０の正面側に設ける操作部１５の内部にスピーカ３０を取り付けるから、スピーカ３０の音放出孔２３から、例えばブザー音を放出することで、スピーカ３０の音を聞き取りやすくすることができる。
【００２７】
特に図示例では、操作部１５の外ケース２０下側内面にスピーカ３０を下向きに取り付けるから、上向きに設ける操作部１５において比較的余裕がある外ケース３０下側内面にスピーカ３０を配置し、スピーカ３０のレイアウトを容易とするとともに、下向きとすることで、スピーカ３０の音を外部へと直ちに放出して、スピーカ３０の音が聞こえにくいという問題を解消し、一層スピーカ３０の音を聞き取りやすくすることができる。
【００２８】
また、操作部１５の外ケース２０下側内面に、前後位置決めリブ２４・２５、上位置決めリブ２６・２６、一対のガイドリブ２７・２７などのリブを形成し、そのリブで位置決めしてスピーカ３０を取り付けるから、スピーカ３０をリブで位置決めしてワンタッチで簡単に取り付けることができる。
【００２９】
さらに、操作部１５の外ケース２０下側内面に、スピーカ３０をスライドして取り付けるスピーカ取付台２２を形成するから、スピーカ３０の取り付け操作にスペースを必要とせず、比較的他の部材にぶつけたりすることなく、同じくスピーカ３０の取り付けを簡単とすることができる。
【００３０】
しかも、スピーカ取付台２２に、スピーカ３０と接触してそのスピーカ３０を取付位置へと案内するガイドリブ２７・２７を形成するから、そのガイドリブで案内してスピーカ３０を取付位置へと導くことができ、同じくスピーカ３０の取り付けを簡単とすることができる。
【００３１】
【発明の効果】
以上説明したとおり、請求項１に係る発明によれば、制御部に働きかける操作部の内部にスピーカを取り付けるから、通常画像形成装置の正面側に設ける操作部にスピーカを設けることで、画像形成装置におけるスピーカ取付構造を改良し、スピーカの音を聞き取りやすくすることができる。
【００３２】
また、操作部の外ケース下側内面にスピーカを下向きに取り付けるから、通常上向きに設ける操作部において比較的余裕がある外ケース下側内面にスピーカを配置し、スピーカのレイアウトを困難とすることなく、また下向きとすることで、スピーカの音を外部へと直ちに放出し、一層スピーカの音を聞き取りやすくすることができる。
【００３３】
さらに、操作部の外ケース下側内面にリブを形成し、そのリブで位置決めしてスピーカを取り付けるから、ねじやブラケットなどを必要とすることなく、また工具を用いる必要なく、スピーカをリブで位置決めしてワンタッチで簡単に取り付けることができる。
【００３４】
加えて、操作部の外ケース下側内面に、スピーカをスライドして取り付けるスピーカ取付台を形成するから、スピーカの取り付け操作にスペースを必要とせず、まわりに十分な余裕がなくても比較的他の部材にぶつけたりすることなく、同じくスピーカの取り付けを簡単とすることができる。
【００３５】
また、スピーカ取付台に、スピーカと接触してそのスピーカを取付位置へと案内するガイドリブを形成するから、そのガイドリブで案内してスピーカを取付位置へと導くことができ、同じくスピーカの取り付け操作にスペースを必要とせず、スピーカの取り付けを簡単とすることができる。
【００３６】
請求項２に係る発明によれば、画像形成装置において、請求項１に記載のスピーカ取付構造を備えるから、上記効果を有するスピーカ取付構造を備えた画像形成装置を提供することができる。
【図面の簡単な説明】
【図１】この発明に係る画像形成装置の一例である複写機の外観斜視図である。
【図２】その複写機における操作部の斜視図である。
【図３】そのＡ−Ａ線に沿う概略断面図である。
【図４】その操作部の外ケースに形成したスピーカ取付台の斜視図である。
【図５】そのスピーカ取付台へのスピーカの取り付け状態を示す斜視図である。
【符号の説明】
１０    複写機装置本体
１５    操作部
２０    外ケース
２１    凹み
２２    スピーカ取付台
２３    音放出孔
２４    前位置決めリブ
２５    後位置決めリブ
２６    上位置決めリブ
２７    ガイドリブ（下位置決めリブ）
３０    スピーカ
【図１】
0003946450.tif 000002
【図２】
0003946450.tif 000003
【図３】
0003946450.tif 000004
【図４】
0003946450.tif 000005
【図５】
0003946450.tif 000006